(57)【特許請求の範囲】
【請求項１】
バッテリー充電電流を発生する電源と、
制御信号に応じて前記充電電流をバッテリーに流す手段と、
複数のカレンダーと、カレンダーの日付のつけられたイベントと、前記複数のカレンダーからユーザーが選択することによってカスタム・カレンダーを構築する制御アルゴリズムとを記憶するメモリと、
前記アルゴリズムを実行し、前記カレンダーの日付のイベントと前記カスタム・カレンダーとを合成することによって統合的カレンダーを作成し、且つ前記統合的カレンダーの日付のイベントの発生に先立つ所定の時刻に前記制御信号を発生するマイクロプロセッサと、から成るバッテリー充電装置。
【発明の詳細な説明】
【０００１】
【産業上の利用分野】
本発明はバッテリー充電の分野に係り、特に、マイクロプロッサで制御される充電に関する。
【０００２】
【従来の技術】
ニッケルカドミウム（ＮＩＣＡＤ）形バッテリーで電源供給される装置が不完全なバッテリー放電／再充電サイクルで繰り返し動作する場合、放電するバッテリー容量が減少することがある。この容量損失は、記憶作用、即ち、放電可能な容量が徐々に低下する状態として周知である。実際的な言葉で説明すると、例えば、ＮＩＣＡＤで電源供給されるカムコーダ（ビデオカメラとビデオテープレコーダとを一体化したもの）の利用者は、動作時間の減少、または、低電圧のカットオフを経験することがある。不完全な放電の問題は、十分な電流のドレーンを有する装置に取り付けられてバッテリーが充電される場合に悪化する。カムコーダの電源がオフにされているとき、例えばカムコーダのマイクロプロセッサは、殆どのバッテリーにおける本来の自己放電作用よりもかなり大きい可能性のあるバッテリーから取り出される電流により給電される。鉛電池は、ニッケルカドミウムセルの記憶作用を受けることはない。しかし、鉛電池は放電状態に留まり続け得る場合に容量が減少する。前記の容量の減少は、鉛板の表面に、板面積、即ち、充電および放電容量を減少させる硫酸塩を形成することにより生じる。
【０００３】
ニッケルカドミウムバッテリーにおける前記放電容量の減少、或いは、記憶作用は、完全な充電が後に続く効果的な放電によって実質的に除去することができる。殆どのバッテリー充電器は、ある種の利用者開始形の放電／再充電サイクルを組み込む。図１は典型的なマイクロプロセッサ制御形バッテリー充電を示す。ＡＣ電源は、バッテリー充電用の高い電流容量と、制御回路用の調整された電源を供給する電源ブロック１０でＤＣに変換される。充電器出力４０は、例えば、充電用の直列パストランジスタのような制御素子と、「リフレッシュ」放電を提供するために制御負荷に結合された分路とからなる。典型的にはＰＷＭ（パルス幅変調）出力を有する集積回路（ＩＣ）コントローラ３０は、バッテリー充電電流を制御するためにパストランジスタに結合される。充電器は、ＡＣ電源と、バッテリー結合と、例えば、バッテリー電位、充電電流、セル温度等のバッテリー状態を監視するマイクロプロセッサ２０により制御される。
【０００４】
【発明が解決しようとする課題】
前記の典型的な充電器は、充電とバッテリー放電の両方を備えているが、かかる機能は手動的に起動する必要がある。従って、利用者はバッテリー容量の減少が明白になるまで必然的に「リフレッシュ」サイクルを使用しないので、図１の典型的な充電器はバッテリー記憶作用の問題を完全には解決しない。また、再充電可能形バッテリーで電源供給される装置の利用者は、バッテリーを最高の状態に維持するためのバッテリー調整法に従うものとは思われない。
放電に耐えられ、記憶作用の影響を受けず、迅速に再充電することができる他の２次電池がある。しかし、かかるバッテリーでさえ、瞬時かつ即座に使用することを期待する利用者は、バッテリーが充電されておらず、そしていつでも使用できなければ、不満を感じる。
【０００５】
【課題を解決するための手段】
発明的バッテリー充電器とカムコーダの結合装置が開示され、ここで、カムコーダは、結合または結合ユニットの適当なコネクタに結合されている。前記コネクタはカムコーダに給電するための直流電流（ＤＣ）を供給し、外部モニタリング装置を結合するためのオーディオおよびビデオ出力接続を備えている。結合ユニットは、ＡＣで電源供給され、種々のサブシステムよりなり、発明的方法で１個以上のバッテリーを充電し調整する。前記ユニットは、ビデオまたはオーディオ入力を介してベースバンドで、或いは、変調された無線周波（ＲＦ）出力を介してＲＦで表示装置に結合する機能も備えている。ＲＦ変調器の出力は、それを介して永久的にテレビアンテナに結合することができ、テレビ受像機側でアンテナのケーブル処理を変えることなくカムコーダの映し出しを容易にする能動的なアンテナループに結合される。発明的バッテリー充電装置は、手動的に操作されるフロントパネルスイッチ、または、遠隔制御ユニットによって制御される。結合ユニットの状態は、プロンプト（ｐｒｏｍｐｔ；ユーザにメッセージを出して、所定の動作を促すこと）を伴うメニュー形式の表示から選択された制御機能と共に表示パネルに表示される。また、前記状態は、モニタ表示用のベースバンドビデオ信号、および、テレビ受像機用の変調されたＲＦ信号として与えられる。ハンドヘルド（ｈａｎｄ  ｈｅｌｄ）赤外線（ＩＲ）コントローラは、直接的な結合接続を介して結合ユニットおよびカムコーダを制御し、或いは、結合ユニットの一部分を形成するＩＲ送信器を介して各構成要素を制御する。前記バッテリー充電装置は、制御するバッテリー充電電流を発生する電源と、少なくとも一つの所定のイベント（ｅｖｅｎｔ）の日付を有するカレンダーアルゴリズムを実行し、イベントの日になったときにバッテリー充電電流を制御する制御信号を発生するマイクロプロセッサとを含んでいる。
特許請求の範囲に記載された事項と実施例との対応関係を、図面で使われている参照番号で示すと次の通りである。
（請求項１）  バッテリー充電電流を発生する電源（１０１）と、
制御信号に応じて前記充電電流をバッテリーに流す手段（１０２）と、
複数のカレンダーと、カレンダーの日付のつけられたイベントと、前記複数のカレンダーからユーザーが選択することによってカスタム・カレンダーを構築する制御アルゴリズムとを記憶するメモリ（１２１）と、
前記アルゴリズムを実行し、前記カレンダーの日付のイベントと前記カスタム・カレンダーとを合成することによって統合的カレンダーを作成し、且つ前記統合的カレンダーの日付のイベントの発生に先立つ所定の時刻に前記制御信号を発生するマイクロプロセッサ（１２０）と、から成るバッテリー充電装置。
【０００６】
【実施例】
図２に示す発明的バッテリー適応形充電器１００は、ＡＣ電源を、バッテリー充電と、カムコーダ電源と、内部回路電源のためのＤＣ電源に変換する電源１０１とを含んでいる。ＤＣ充電電流と、カムコーダアダプタ電源は、充電器アダプタ出力１０２に結合される。充電器アダプタ出力は、充電電流を供給する直列パストランジスタのような電流制御素子と、ＮＩＣＡＤ形バッテリーセルの調節、リフレッシュ、または、回復用の放電電流を散逸する制御負荷とを有する。充電器は種々のセルの化学的性質のバッテリーを充電し、バッテリーケースの識別子を検出してセルタイプを自動的に判定することができる。同じ形の１個以上のバッテリーをカムコーダから取り外して、充電用のコネクタＢ１またはＢ２に差し込むことができる。アダプタ出力ＤＣは、バッテリーではなくカムコーダに結合するコネクタ１０８を介しても利用することができる。適切に装備されたカムコーダは、インタフェースコネクタ１１０を介してアダプタにより電源を供給してもよい。インタフェースコネクタ１１０は、バッテリーを備えたカムコーダの充電電流を供給する。直流電源供給に加え、コネクタ１１０は、カムコーダ制御指令が入力され、マイクロプロセッサ１２０で使用されるように、バッテリー使用データがカムコーダまたはカムコーダ装着バッテリーから得られるようにするデータＩ／Ｏ結合を与える。また、コネクタ１１０はオーディオおよびビデオ結合を与える。
【０００７】
マイクロプロセッサ１２０はバッテリーと充電過程の制御および監視に使われる。マイクロプロセッサ１２０は、電源と、充電器出力と、カムコーダと、メモリ１２１と、ローカルディスプレイ１１５およびオンスクリーン表示（ＯＳＤ）発生器１２５とに結合される。発光表示器およびアコースティック音響器１０７はマイクロプロセッサ１２０からの出力で駆動される。マイクロプロセッサ１２０は、手動制御部１１１、１１２、１１４から、或いは、例えば、受信器１０６を介してＩＲ遠隔制御装置３００のような遠隔制御ユニットから利用者制御指令を受信する。データ入出力コネクタ１２９を設けることにより、利用者は、例えば、統合されたカレンダー、または、バッテリー寿命データのようなデータをアクセスし、或いは、利用者特有の追加のイベントの日付を入力するために、例えば、パーソナルコンピュータ、「ラップトップ形」またはノートプック形コンピュータに結合する。表示用メッセージを構成するために外部のＰＣ（パーソナルコンピュータ）を更に使用してもよい。
【０００８】
バッテリー充電は手動的に開始するが、自動的な充電の開始は、メモリ１２１に存在する適応形カレンダーアルゴリズムによって記憶されアクセスされるイベントに基づいて提供される。マイクロプロセッサ１２０は、クォーツ水晶発振器Ｘ１を基準とする実時間クロックカレンダー機能を保持する。しかし、かかる実時間クロックは、例えば、公共放送システムにより送信されるような適当な放送時間の基準を受信して同期させ得ることは周知である。
【０００９】
メモリ１２１は複数のカレンダーを有する工場でプログラムされたＰＲＯＭ１２４を含んでいる。利用者は複数のカレンダーから選択を行なうことができ、有利なアルゴリズムは前記選択されたものからカスタムカレンダーを構成する。例えば、利用者は居住国に適するカレンダーを選択する。このカレンダーは、例えば、外国用カレンダーと合成することができる。前記のカレンダーの合成は、カスタムカレンダーを作成するために、特定の休日、宗教上の日程等を更に合成することができる。カスタムカレンダーに現われるよう列挙されたイベントは、特定または唯一の動作を発生するように標識、或いは、注を付けることができる。例えば、海外のカレンダーがカスタムカレンダーに含まれる場合に、例えば、自動化されたバッテリー充電の開始は必要とされず、海外のイベントの日付では禁止してもよい。しかし、何時でも手動的な操作を選択することが可能であり、手動的な操作によってその日にカレンダーに基づいて発生されるあらゆる事項は無視される。
【００１０】
図５にフローチャートとして示す発明的制御方法は、メモリ１２１のプログラム格納部ＰＲＯＧ１２３に存在する。前記制御方法は実時間クロックカレンダーと共に実行され、例えば、大晦日、７月４日、１１月５日、クリスマスの日等の利用者のカスタムカレンダーに適当な充電開始日を生成する。かくして、バッテリーは充電され、カムコーダはカスタムカレンダーから得られるイベントに基づいて即座に使用する準備が整う。
【００１１】
工場でプログラムされたカレンダーに加えて、メモリ空間ユーザーデータ（ＵＳＥＲ  ＤＡＴＡ）１２６は、誕生日、記念日および特別のイベントのような利用者の入力したカレンダーのイベントを記憶するために設けられる。有利な方法によれば、統合され、或いは、複合されたカレンダーを作成するために、利用者のイベントはカスタムカレンダーに組み込まれる。複合的なカレンダーから得られたイベントの実行に加えて、この発明的方法は、マイクロプロセッサにより監視される実際のバッテリー使用データに基づいて自動的な充電開始の発生を適応的に変更する。図５のフローチャートを参照してこの有利な方法を説明する。
【００１２】
充電器、バッテリー、および、カムコーダの動作状態は、ディスプレイ１１５に示される。ディスプレイ１１５はマイクロプロセッサにより駆動され、内部実時間クロックカレンダー、或いは、間近に迫るイベントの日付の一覧をも表示することができる。統合的カレンダーまたは充電器状態の何れかから生じるイベントの発生時に、ディスプレイ１１５による表示用のメッセージが生成される。表示器１０７はメッセージ待機表示器として機能し、解除し得る警報的な可聴性のビープ音を伴ってもよい。表示器１０７は、第１の色でイベント発生を示し、例えば、赤色のような第２の色で警報メッセージを表示する。
【００１３】
情報メッセージをディスプレイ１１５に表示させたイベントの発生に基づき、ＰＲＯＭ１２４に記憶されたメッセージを読出し、スクリーン表示（ＯＳＤ）発生器１２５によるビデオ用のフォーマット化のために結合してもよい。前記ＰＲＯＭ１２４は、複数の情報メッセージおよび警報を格納する。ＯＳＤ発生器１２５は、コネクタ１０３でビデオモニタに表示することができるビデオ信号を発生し、また、ＲＦ変調器１３０に入力を供給する。ＲＦ変調器１３０は、テレビが受信できる信号を発生し、その出力はアンテナ増幅器およびミクサー１３５に結合される。かくして、充電器の状態等は、テレビ受像機４００に映し出すことができる。
【００１４】
図３の（Ａ）は発明的バッテリー充電器とカムコーダの結合システムを示す。カムコーダ２００は結合または結合ユニット１００の適当なコネクタに結合されている。前記コネクタは、カムコーダに給電するためのＤＣと、オーディオおよびビデオ監視装置に結合するためのオーディオおよびビデオ出力接続部１０３、１０４、１０５とをそれぞれ備えている。結合ユニットはＡＣ電源を供給され、図２を参照して説明した種々のサブシステムを含んでいる。結合ユニット１００は、複数のバッテリー、例えば、発明的方法で２個のバッテリーの充電および調整を与える。前記ユニットは、ビデオまたはオーディオ入力を介してベースバンドで、或いは、変調されたＲＦ出力を介してＲＦで表示装置に結合する機能も備えている。ＲＦ変調器１３０は、それを介して永久的にテレビアンテナに結合することができ、テレビ受像機４００側でアンテナのケーブル処理を変えることなくカムコーダの映し出しを容易にするアンテナループを提供するアンテナ増幅器１３５に結合される。図３の（Ａ）に示す発明的システムは、手動的に操作されるフロントパネルスイッチ１１１、１１２、１１４、または、例えばハンドヘルドＩＲコントローラのような遠隔制御ユニット３００により制御される。結合ユニットの状態は、プロンプトを伴うメニュー形式の表示から選択された制御機能と共に表示パネル１１５に表示される。さらに、前記状態は、モニタ表示用のベースバンドビデオ信号、および、テレビ受像機表示用の変調されたＲＦ信号として与えられる。ハンドヘルドＩＲコントローラ３００は、直接的な結合接続を介して結合ユニットおよびカムコーダを制御し、或いは、結合ユニットの一部分を形成するＩＲ送信器１１７を介して各構成要素を制御する。
【００１５】
図３の（Ｂ）は適応形バッテリー充雷器およびカムコーダ結合装置１００のコントロールパネルの一例を示す図である。このユニットは、ディスプレイ１１５により表示される種々のメニューをスクロールしてモード選択の制御を可能にする手動的に操作されるスイッチによって制御される。例えば、スイッチ１１１および１１２は、中心を外れた状態で付勢されるバネを有するロッカー（ｒｏｃｋｅｒ）形スイッチでもよい。適当な矢印の方向に押し込むことにより、表示カーソルは移動し、或いは、表示が選択された方向にスクロールする。所望の機能は作動ボタン１１４で選択することができる。同様に、制御オプションの表示メニューは、ＩＲ受信器１０６を介して結合されたＩＲ遠隔制御ユニット３００によって、アクセス、スクロール、および、選択することができる。ディスプレイ１１５に表示される情報は、ビデオモニタ、或いは、テレビ受像機４００への映し出しに利用することができる。コネクタ１０９によって、モニタビデオ出力１０３と、オーディオ出力１０４および１０５に結合するカムコーダ信号のオーディオおよびビデオ接続部を備えている。前記信号はテレビ受像機に映し出すためのＲＦ変調器１３０にも結合される。表示メッセージは抑制することができるが、バッテリーおよび充電器の警報は無視できない。
【００１６】
利用者の特定の日付と併合された利用者のカスタムカレンダーよりなる統合的カレンダーは、前記アルゴリズムによって監視される。前記アルゴリズムは統合的カレンダーのイベントの発生に基づいて充電開始指令を発生する。しかし、充電中にバッテリーの故障が検出される場合に、利用者に補修作業のための時間を与えることは利点である。従って、充電は前記制御方法またはアルゴリズムにおける先取り特性を利用してイベントの日の数日前に起動されるのが有利である。
【００１７】
種々の充電電流制御方法と共にバッテリー充電またはバッテリー容量を判定する種々の方法が周知である。さらに、セルの化学的性質と、バッテリータイプによって要求される充電方法とを判定するためにデータがバッテリーから読出される。しかし、前記のバッテリー評価方法から得られるデータは、実際のバッテリー状態に基づいて充電の必要性を適応的に判定するために、マイクロプロセッサによって処理されるアルゴリズムによりアクセスすることができる。例えば、バッテリーは充分に充電されれば、細流充電または補充充電だけが必要とされ、一方、充分に放電された状態は高速充電を必要とし、部分的に放電されたバッテリーはリフレッシュまたは回復、および再充電サイクルが有効である。カレンダーにイベントは無く、著しいバッテリーの使用の無い期間に、バッテリーは、例えば、４週間毎に補充充電され、或いは、リフレッシュまたは回復サイクルにかけてもよい。
【００１８】
バッテリーの識別は、利用されるバッテリーの化学的性質、例えば、ＮＩＣＡＤ、ニッケル水素化物、鉛酸を充電器が判定するために必要とされ、バッテリータイプの中にバッテリーの識別子が設けられてもよい。種々の識別方法が周知であり、例えば、バッテリーにマイクロプロセッサと、メモリと、データ通信機能を備えることもできる。かかるバッテリーはスマート（ｓｍａｒｔ）バッテリーと呼ばれる。しかし、消費者製品の分野において、望ましい技術は、付加的な部品、即ち、コストがバッテリーよりもむしろ充電器に含まれている最小コストの解決法を提示する必要がある。バッテリー充電器よりも多数のバッテリーが存在するので、スマートバッテリー充電器はスマートバッテリーよりもコスト効果に優れている。更に、非接触検出法は利用者の複数の操作に関する信頼性の点で望ましい。また、非接触検出は、バッテリーと充電器との機械的調整の精度が低くてもよい。図４の（Ａ）乃至（Ｄ）は、種々の非接触バッテリー識別方法の例であり、受動的な指標の検出を示す。図４の（Ａ）は、バッテリー５００の外側５０１に置かれたプッシュアウト孔Ｈ、Ｓ、Ｓ、Ｓの利用を示す。バッテリー５００の外側５０１は、図４の（Ｂ）に示す如く、オプトカップラー５２０の照射路内に置くことができる。従って、光照射は、孔Ｈ  ５１０を介して光受信器に結合されるか、或いは、固体Ｓにより遮られる。例えば、４個のプッシュアウト孔を使用することにより、１５種類のバッテリー識別符号を検出することが可能であり、ここで、１６番目の組合せ、即ち、孔の無い組合せは、新しく、元々から提供されているバッテリー用に確保されている。図４の（Ｃ）は、バッテリーハウジングに付着されたバーコードパターン５４０を利用する他のバッテリー識別用の非接触検出法を示す。例えば、バーコードパターンは透過式または反射式に変わり、図４の（Ｂ）または（Ｄ）に示す方法で読み取ることができる。バーコード形の指標は、バッテリータイプと、識別番号または文字の組合せの両方を識別することができる１０以上の文字を提供する。図４の（Ｄ）は更なる非接触検出法を示し、ここで、直列的な反射板５３５、例えば、反射テープがバッテリーケースまたは外側５０１に付着される。反射板５３５は光送信器５３０により発生される光の放射を反射して、光センサ５３１に戻す。図４の（Ｅ）はバッテリーに装着された導電性材５６０に接触する機械的検出接触子５５０を利用する他の実施例を示す。図４の（Ｇ）は受動的な反射性または導電性の指標の配置例を示す。カムコーダの応用において、装置に取り付けられた指標の無いバッテリーが検出されると、特定のユニークな識別が得られることがある。スペア部品、または交換部品として供給されるバッテリーは、標準化された取り付けおよび機械的装着面と共に製造することができる。従って、前記の如く、符号化を利用することにより、スマート充電器は特定のバッテリータイプに対し正確な充電用パラメータを判定し、利用者は複数のバッテリーを番号で区別したり、または、識別することができる。
【００１９】
図５は利用者が個人的なカレンダーを構成する発明的方法の一部をフローチャート形式で示す。利用者は、統合的または複合的なカレンダーを作成するためにカスタムカレンダーに便宜的に組み込まれる特定のイベントの日付を入力する。統合的カレンダーは実時間クロック（ＲＴＣ）と比較され、一致するときに、「定刻」信号すなわちイベント発生信号が発生される。統合的カレンダーのイベントの発生は発明的方法により予期することができる利点がある。予期または先取り期間は予め定められ、変更された、または、早期実時間クロックを発生する計算、或いは、統合的カレンダーの先の内容を作成する同様の計算によって与えられる。図５は、変更、または、早期実時間クロックの発生によるイベントの予期を示す。早期実時間クロック（ＥＲＴＣ）と一致するときに、予期されたイベントデータは、充電用に結合されたバッテリーが既に充電されているかどうかを判定するためにテストされる。バッテリーが充電されていない場合には、やがて発生すべきイベントの予期時に充電が開始される。
【００２０】
図５に示すフローチャートは、利用者が種々の選択を行い、特定のイベントの日付を入力するステップ８００から始まる。ステップ８０５において、予めプログラムされ、非揮発性メモリに記憶された第１のイベントのカレンダーからの選択がなされる。同様にステップ８１０において、利用者は第２の予めプログラムされたイベントのカレンダーからイベントを選択する。説明の簡単化のために示していない他の予めプログラムされたイベントのカレンダーは、利用者の選択用に準備され得る。前記利用者の選択したカレンダーおよびその一部は、ステップ８１５で日付の順に合成され、ステップ８２０で利用者のカスタムカレンダーが作成される。
【００２１】
ステップ８２５において、利用者は、特定のカレンダー日付の付いたイベントを入力し、このイベントは、ステップ８３０において、カスタムカレンダーと併合、または、組み合わされる。ステップ８３０の結果として、ステップ８３５において、統合されたカレンダーが作成される。かくして、統合的カレンダーは、予めプログラムされたカレンダーからの種々の利用者の選択と、利用者独自の特定のイベントとの統合を表わす。
【００２２】
ステップ８４５において、ステップ８３５の統合されたカレンダーは、ステップ８４０の実時間クロック（ＲＴＣ）と一致している、または、同時であるかどうかがテストされる。ステップ８４５のテストがＮＯの場合に、統合化されたカレンダーのイベントは発生せず、このテスト状態はＲＴＣ８４０の次の増加と同時に起こるテストに戻される。前記実時間クロックは、例えば、５分、１５分、１時間、または、１日毎のような様々な間隔で出力時間を増加するように選択する。フローチャートを単純化するために、一つのテストステップ８４５だけを示すが、様々に増加させられるＲＴＣ出力に結合されている複数のテストを利用することができる。統合的カレンダーとＲＴＣが一致する場合に、ステップ８４５でＹＥＳが発生され、かくして、「定刻」のイベントの発生が示される。
【００２３】
イベント予期、または、「先取り」は、早期実時間クロックＥＲＴＣを発生するステップ８５０で得られることが利点である。予期の期間は予めセットされ、例えば、自動的なバッテリー充電に対し７日の期間が適当である。統合的カレンダーは、ステップ８５０からのＥＲＴＣと一致するかどうかがステップ８５５でテストされる。テストがＮＯの場合、予期されたイベントは発生することなく、テスト状態はＥＲＴＣ８５０の次の増加と同時に起こるテストに戻される。テスト８５５がＹＥＳの場合に、予期されたイベントが発生し、バッテリーはステップ８６５で充電状態がテストされる。バッテリーが充電されている場合に、ステップ８６５はＹＥＳであることをテストし、テスト状態は次の予期された統合的カレンダーのイベントをステップ８５５で待機するために戻される。かくして、ステップ８６５においてＹＥＳの場合に、不必要なバッテリー充電を防止するために、カレンダーで発生される開始を採用または禁止する。
【００２４】
ステップ８６５におけるテストがＮＯの場合には、バッテリーは充電されず、ステップ８７０で制御信号が発生される。制御信号はバッテリー充電を開始するために利用することができる。制御信号の発生に続き、充電されたバッテリーの状態、または、充電器またはバッテリーの機能不調の発生をステップ８７５でテストする。ステップ８７５におけるテストがＮＯの場合に、このテストはステップ８７５の最初に戻される。しかし、ステップ８７５のテストがＹＥＳの場合、例えば、バッテリータイプと識別子と、バッテリーの充電状態と、充電器の状態とに関連するデータのようなデータが記憶される。バッテリーおよび充電器の状態に関連するデータに加えて、充電および回復の累計も記憶され更新される。従って、充電される各バッテリーに対し履歴が作られる。前記バッテリー充電履歴は、充電器のディスプレイ、テレビスクリーンに映し出すことが可能であり、或いは、データポートを介して外部のパーソナルコンピュータからアクセスしてもよい。従って、利用者またはサービス技術者はバッテリー寿命の記録を得ることができる。
【００２５】
カレンダーで発生された充電の更なる適応は、ステップ８６０に記載されるタイマ機能によって行なわれる。テスト８５５がＹＥＳの場合に、ステップ８６０で、例えば、４週間の期間を有するタイマが起動される。例示的な４週間の期間の終了時に、タイマはテストステップ８６５に入力を発生する。かくして、予期されたイベントの動作のない期間に、タイマは、ステップ８６５および８７０を介して充電を開始し、バッテリーにおける自己放電効果を補正する。ステップ８５５においてＹＥＳの場合に、予期されたイベントが発生し、タイマはリセットされてタイミング期間を再起動する。
【００２６】
【発明の効果】
この発明的方法により、利用者は利用者に関連する日付と合成できることを利点とするカスタムカレンダーを作成することができる。前記制御方法によれば、カレンダーの日付を予期し、バッテリーの充電を開始する利点がある。しかし、例えば、手動的充電のような計画されていない任意的なバッテリーの使用は、実際のバッテリーの状態に基づいてカレンダーで発生された開始を変更、或いは、無視する前記アルゴリズムにより適応させられている。
【図面の簡単な説明】
【図１】従来技術によるマイクロプロセッサ制御形バッテリー充電装置の図である。
【図２】本発明の構成による適応形バッテリー充電装置のブロック図である。
【図３】（Ａ）は本発明の構成によるバッテリー充電器とカムコーダ結合システムを示し、（Ｂ）は図２に示す発明的バッテリー充電器とカムコーダ結合装置を示す。
【図４】（Ａ）乃至（Ｅ）は種々のバッテリー識別の実施例を示し、（Ｇ）は受動的な指標の構成例を示す図である。
【図５】発明的方法のフローチャートである。
【符号の説明】
１０    電源ブロック
２０    マイクロプロセッサ
３０    ＩＣコントローラ
４０    充電器出力
１００    バッテリー適応形充電器（接続または結合ユニット）
１０１    電源
１０２    充電器アダプタ出力
１０３，１０４，１０５    オーディオおよびビデオ出力接続部
１０６    受信器
１０７    発光表示器およびアコースティック音響器
１０８，１０９    コネクタ
１１０    インタフェースコネクタ
１１１，１１２，１１４    手動制御部
１１５    ディスプレイ
１１７    ＩＲ送信器
１２０    マイクロプロセッサ
１２１    メモリ
１２３    プログラム格納部ＰＲＯＧ
１２４    ＰＲＯＭ
１２５    スクリーン表示発生器
１２６    メモリ空間ユーザーデータ（ＵＳＥＲ  ＤＡＴＡ）
１３０    ＲＦ変調器
１３５    アンテナ増幅器
２００    カムコーダ
３００    ＩＲ遠隔制御装置
４００    テレビ受像機
５００    バッテリー
５０１    バッテリーの外側
５１０    孔
５２０    オプトカップラー
５３０    光送信器
５３１    光センサ
５３５    反射板
５４０    バーコードパターン
５５０    機械的検出接触子
５６０    導電性材
【図１】
0003713064.tif 000002
【図２】
0003713064.tif 000003
【図３】
0003713064.tif 000004
【図４】
0003713064.tif 000005
【図５】
0003713064.tif 000006